(57)【要約】【課題】広告等の情報を提示するためのスペースを増加させることができる収納箱を提供する。【解決手段】  収納箱１は、箱本体２の背面側を軸として回動する蓋部３を備えて冊子状に形成されている。箱本体２は、物品Ｍの一部を収容するための収容部２Ｓを有し、蓋部３は、箱本体２に連設され、収容部２Ｓに対応する蓋開口部３０Ａを有し、箱本体２に積層されて収容部２Ｓから突き出た物品Ｍを蓋開口部３０Ａに挿通させた内蓋閉塞位置Ｐ４と、収容部２Ｓを開放した内蓋開放位置Ｐ５との間で回動する２つの内蓋部４と、箱本体２と内蓋部４とに連設され、内蓋部４に積層されて蓋開口部３０Ａを閉塞した外蓋閉塞位置と、蓋開口部３０Ａを開放した外蓋開放位置との間で回動する外蓋部５と、を含む。【選択図】図１０
2020186028.tif 000002
【特許請求の範囲】
【請求項１】
箱本体（２）の背面（２Ｒ）側を軸として回動する蓋部（３）を備えて冊子状に形成された収納箱（１）であって、
前記箱本体は、物品（Ｍ）の一部を収容するための収容部（２Ｓ）を有し、
前記蓋部は、
前記箱本体に連設され、前記収容部に対応する蓋開口部（３０Ａ）を有し、前記箱本体に積層されて前記収容部から突き出た前記物品を前記蓋開口部に挿通させた内蓋閉塞位置（Ｐ４）と、前記収容部を開放した内蓋開放位置（Ｐ５）との間で回動する少なくとも１つの内蓋部（４）と、
前記箱本体と前記内蓋部の少なくとも一方に連設され、前記内蓋部に積層されて前記蓋開口部を閉塞した外蓋閉塞位置（Ｐ１）と、前記蓋開口部を開放した外蓋開放位置（Ｐ２）との間で回動する外蓋部（５）と、を含むことを特徴とする収納箱。
【請求項２】
前記蓋開口部は、僅かな隙間（Ｇ）を有して前記物品が挿通可能に形成されたことを特徴とする請求項１に記載の収納箱。
【請求項３】
前記内蓋閉塞位置に配置された前記内蓋部は、前記収容部に収容された前記物品の表面と同一平面を構成することを特徴とする請求項１または２に記載の収納箱。
【請求項４】
前記内蓋部は、一対の内蓋形成板（３０）によって構成されており、前記箱本体と前記外蓋部とに接続され、
前記外蓋部は、前記内蓋部と前記箱本体の前記背面とを覆うように形成され、前記外蓋開放位置よりも更に開放方向に開いて前記背面から離間した第２の外蓋開放位置（Ｐ３）まで回動し、
前記外蓋部が前記外蓋開放位置から前記第２の外蓋開放位置に回動する過程において、前記内蓋部を構成する一対の前記内蓋形成板は、互いの前記背面側を離間させながら前記内蓋閉塞位置から前記内蓋開放位置に向かって回動することを特徴とする請求項１ないし３のいずれかに記載の収納箱。
【請求項５】
各々の前記内蓋部は、折り返された一対の内蓋形成板（３０）によって構成され、
複数の前記内蓋部は、一列に連設された複数の前記内蓋形成板をジグザグに折り返すことで蛇腹状に形成されたことを特徴とする請求項１ないし３のいずれかに記載の収納箱。
【請求項６】
最深層の前記内蓋部は、前記箱本体に接続され、
最表層の前記内蓋部は、前記外蓋部に接続され、
前記外蓋部は、最表層の前記内蓋部と前記箱本体の前記背面とを覆うように形成され、前記外蓋開放位置よりも更に開放方向に開いて前記背面から離間した第２の外蓋開放位置（Ｐ３）まで回動し、
最深層の前記内蓋部を除く前記内蓋部は、前記内蓋開放位置よりも更に開放方向に開いて前記第２の外蓋開放位置に配置された前記外蓋部に重なる第２の内蓋開放位置（Ｐ６）まで回動し、
前記外蓋部が前記外蓋開放位置から前記第２の外蓋開放位置に回動する過程において、最表層の前記内蓋部を構成する一対の前記内蓋形成板は、互いの前記背面側を離間させながら前記内蓋閉塞位置から前記内蓋開放位置に向かって回動し、
表層側の前記内蓋部が前記内蓋開放位置から前記第２の内蓋開放位置に回動する過程において、深層側の前記内蓋部を構成する一対の前記内蓋形成板は、互いの前記背面側を離間させながら前記内蓋閉塞位置から前記内蓋開放位置に向かって回動することを特徴とする請求項５に記載の収納箱。
【請求項７】
前記外蓋部は、
最表層の前記内蓋形成板に接続された外蓋本体（３２）と、
前記箱本体の下面に接続された外蓋固定部（３３）と、
前記外蓋本体と前記外蓋固定部とに連設された外蓋背部（３４）と、を含み、
前記外蓋部が前記外蓋閉塞位置に回動した状態では、前記外蓋本体は前記蓋開口部を閉塞し、前記外蓋背部は前記箱本体の前記背面に対向し、
前記外蓋部が前記第２の外蓋開放位置に回動した状態では、前記外蓋本体は前記蓋開口部を開放し、前記外蓋背部は前記箱本体の前記背面から離間することを特徴とする請求項４または６に記載の収納箱。
【請求項８】
前記外蓋部は、最表層の前記内蓋形成板に連設され、前記内蓋形成板と共に蛇腹形状を構成する外蓋接続板（３１）を更に含むことを特徴とする請求項７に記載の収納箱。
【請求項９】
前記箱本体は、積み重ねて固定された複数の箱形成板（２０）で構成され、
前記収容部は、複数の前記箱形成板に開口した複数の収容開口部（２０Ａ）によって構成されたことを特徴とする請求項１ないし８のいずれかに記載の収納箱。
【請求項１０】
前記箱本体は、一列に連設された複数の前記箱形成板をジグザグに折り返すことで積層状態に形成されたことを特徴とする請求項９に記載の収納箱。
【発明の詳細な説明】
【技術分野】
【０００１】
本発明は、物品を収納するための収納箱に関する。
【背景技術】
【０００２】
例えば、特許文献１には、展開状態でケース本体（底部）の両側に中蓋と外蓋とを連設したフロッピー用郵送ケースが開示されている。ケース本体の底部上にはメッセージ等が載置され、中蓋は底部に対向するように折り返されてケース本体の天部となる。フロッピーは中蓋に開口したフロッピー挿入孔に挿入され、外蓋は中蓋に重なるように折り返される。これにより、フロッピー用郵送ケースが封緘される。
【先行技術文献】
【特許文献】
【０００３】
【特許文献１】特開平０８−１８３５８２号公報
【発明の概要】
【発明が解決しようとする課題】
【０００４】
しかしながら、上記したフロッピー用郵送ケースでは、メッセージ等がフロッピーの下に隠れているため、このメッセージ等を広告として使用することは有効ではなかった。仮に、外蓋の裏面やケース本体の天部（中蓋の表面）に広告を印刷することも考えられるが、印刷可能な面積が限定されているため、広告の情報量が不足し、十分な訴求効果を期待することができない虞があった。
【０００５】
本発明は、上記課題を解決するために、広告等の情報を提示するためのスペースを増加させることができる収納箱を提供する。
【課題を解決するための手段】
【０００６】
上記した目的を達成するため、本発明は、箱本体の背面側を軸として回動する蓋部を備えて冊子状に形成された収納箱であって、前記箱本体は、物品の一部を収容するための収容部を有し、前記蓋部は、前記箱本体に連設され、前記収容部に対応する蓋開口部を有し、前記箱本体に積層されて前記収容部から突き出た前記物品を前記蓋開口部に挿通させた内蓋閉塞位置と、前記収容部を開放した内蓋開放位置との間で回動する少なくとも１つの内蓋部と、前記箱本体と前記内蓋部の少なくとも一方に連設され、前記内蓋部に積層されて前記蓋開口部を閉塞した外蓋閉塞位置と、前記蓋開口部を開放した外蓋開放位置との間で回動する外蓋部と、を含む。
【０００７】
この場合、前記蓋開口部は、僅かな隙間を有して前記物品が挿通可能に形成されたことが好ましい。
【０００８】
この場合、前記内蓋閉塞位置に配置された前記内蓋部は、前記収容部に収容された前記物品の表面と同一平面を構成することが好ましい。
【０００９】
この場合、前記内蓋部は、一対の内蓋形成板によって構成されており、前記箱本体と前記外蓋部とに接続され、前記外蓋部は、前記内蓋部と前記箱本体の前記背面とを覆うように形成され、前記外蓋開放位置よりも更に開放方向に開いて前記背面から離間した第２の外蓋開放位置まで回動し、前記外蓋部が前記外蓋開放位置から前記第２の外蓋開放位置に回動する過程において、前記内蓋部を構成する一対の前記内蓋形成板は、互いの前記背面側を離間させながら前記内蓋閉塞位置から前記内蓋開放位置に向かって回動することが好ましい。
【００１０】
この場合、各々の前記内蓋部は、折り返された一対の内蓋形成板によって構成され、複数の前記内蓋部は、一列に連設された複数の前記内蓋形成板をジグザグに折り返すことで蛇腹状に形成されたことが好ましい。
【００１１】
この場合、最深層の前記内蓋部は、前記箱本体に接続され、最表層の前記内蓋部は、前記外蓋部に接続され、前記外蓋部は、最表層の前記内蓋部と前記箱本体の前記背面とを覆うように形成され、前記外蓋開放位置よりも更に開放方向に開いて前記背面から離間した第２の外蓋開放位置まで回動し、最深層の前記内蓋部を除く前記内蓋部は、前記内蓋開放位置よりも更に開放方向に開いて前記第２の外蓋開放位置に配置された前記外蓋部に重なる第２の内蓋開放位置まで回動し、前記外蓋部が前記外蓋開放位置から前記第２の外蓋開放位置に回動する過程において、最表層の前記内蓋部を構成する一対の前記内蓋形成板は、互いの前記背面側を離間させながら前記内蓋閉塞位置から前記内蓋開放位置に向かって回動し、表層側の前記内蓋部が前記内蓋開放位置から前記第２の内蓋開放位置に回動する過程において、深層側の前記内蓋部を構成する一対の前記内蓋形成板は、互いの前記背面側を離間させながら前記内蓋閉塞位置から前記内蓋開放位置に向かって回動することが好ましい。
【００１２】
この場合、前記外蓋部は、最表層の前記内蓋形成板に接続された外蓋本体と、前記箱本体の下面に接続された外蓋固定部と、前記外蓋本体と前記外蓋固定部とに連設された外蓋背部と、を含み、前記外蓋部が前記外蓋閉塞位置に回動した状態では、前記外蓋本体は前記蓋開口部を閉塞し、前記外蓋背部は前記箱本体の前記背面に対向し、前記外蓋部が前記第２の外蓋開放位置に回動した状態では、前記外蓋本体は前記蓋開口部を開放し、前記外蓋背部は前記箱本体の前記背面から離間することが好ましい。
【００１３】
この場合、前記外蓋部は、最表層の前記内蓋形成板に連設され、前記内蓋形成板と共に蛇腹形状を構成する外蓋接続板を更に含むことが好ましい。
【００１４】
この場合、前記箱本体は、積み重ねて固定された複数の箱形成板で構成され、前記収容部は、複数の前記箱形成板に開口した複数の収容開口部によって構成されたことが好ましい。
【００１５】
この場合、前記箱本体は、一列に連設された複数の前記箱形成板をジグザグに折り返すことで積層状態に形成されたことが好ましい。
【発明の効果】
【００１６】
本発明によれば、収納箱にて広告等の情報を提示するためのスペースを増加させることができる。
【図面の簡単な説明】
【００１７】
【図１】本発明の一実施形態に係る収納箱の小口側を示す斜視図である。
【図２】本発明の一実施形態に係る収納箱の背面側を示す斜視図である。
【図３】本発明の一実施形態に係る収納箱の外蓋部を開いた状態を示す斜視図である。
【図４】図１のＩＶ−ＩＶ断面図である。
【図５】本発明の一実施形態に係る収納箱の箱本体のブランクを示す平面図である。
【図６】本発明の一実施形態に係る収納箱の蓋部の第１ブランクを示す平面図である。
【図７】本発明の一実施形態に係る収納箱の蓋部の第２ブランクを示す平面図である。
【図８】本発明の一実施形態に係る収納箱の蓋部の第３ブランクを示す平面図である。
【図９】本発明の一実施形態に係る収納箱の外蓋部を開いた状態を示す側面図である。
【図１０】本発明の一実施形態に係る収納箱の外蓋部および最上層の内蓋部を開いた状態を示す斜視図である。
【図１１】本発明の一実施形態に係る収納箱の外蓋部および最上層の内蓋部を開いた状態を示す側面図である。
【図１２】本発明の一実施形態に係る収納箱の外蓋部および２つの内蓋部を開いた状態を示す斜視図である。
【図１３】本発明の一実施形態に係る収納箱の外蓋部および２つの内蓋部を開いた状態を示す側面図である。
【図１４】本発明の一実施形態の第１変形例に係る収納箱の外蓋部および２つの内蓋部を開いた状態を示す側面図である。
【図１５】本発明の一実施形態の第２変形例に係る収納箱の外蓋部および２つの内蓋部を開いた状態を示す側面図である。
【図１６】本発明の一実施形態の第３変形例に係る収納箱の外蓋部を開いた状態を示す側面図である。
【図１７】本発明の一実施形態の第４変形例に係る収納箱の外蓋部を開いた状態を示す側面図である。
【発明を実施するための形態】
【００１８】
以下、添付の図面を参照しつつ、本発明の実施形態について説明する。なお、各図に示す「Ｆｒ」は「前」を示し、「Ｒｒ」は「後」を示し、「Ｌ」は「左」を示し、「Ｒ」は「右」を示し、「Ｕ」は「上」を示し、「Ｄ」は「下」を示している。また、これらの方向を示す用語は、説明の便宜のために用いるものであって、本発明の技術的範囲を限定するものではない。
【００１９】
［収納箱の概要］
図１ないし図４を参照して、本実施形態に係る収納箱１について説明する。図１は収納箱１の小口２Ｆ側を示す斜視図である。図２は収納箱１の背面２Ｒ側を示す斜視図である。図３は収納箱１の外蓋部５を開いた状態を示す斜視図である。図４は、図１のＩＶ−ＩＶ断面図である。
【００２０】
図１および図２に示すように、収納箱１は、複数の段ボールシートを積層することで平たい略直方体状に形成されている。収納箱１は、平面（底面）から見て、前後方向の幅よりも左右方向の幅を長くした略長方形状に形成されており、その四隅部は円弧状に隅切されている。
【００２１】
図１ないし図３に示すように、収納箱１は、箱本体２の背面２Ｒ側を軸として回動する蓋部３を備えて冊子状に形成されている。蓋部３は、箱本体２の上面に積層された２つの内蓋部４と、最上層（最表層）の内蓋部４に積層された外蓋部５と、を含んでいる。
【００２２】
図１ないし図４に示すように、箱本体２は、平たい略直方体状に形成され、物品Ｍの下部（一部）を収容するための収容部２Ｓを有している。収容部２Ｓは、箱本体２の中央領域に開口した穴（窪み）であって、平面から見て前後方向の幅よりも左右方向の幅を長くした略長方形状に形成されている。各内蓋部４は、収容部２Ｓに対応する蓋開口部３０Ａを有している。各蓋開口部３０Ａは、収容部２Ｓと略同一形状に形成され、収容部２Ｓに連通している。収容部２Ｓおよび各蓋開口部３０Ａには、直方体状の物品Ｍ（例えばタバコの箱等）が収容されている。外蓋部５は、最表層の内蓋部４と箱本体２の背面２Ｒとを覆うように形成されている。
【００２３】
箱本体２は、図５に示すブランク２Ａから組み立てられる。蓋部３は、図６ないし図８に示す第１〜第３ブランク３Ａ〜３Ｃから組み立てられる。これらのブランク２Ａ，３Ａ〜３Ｃは、それぞれ、１枚の紙製の段ボールシートを抜型等で打ち抜いて形成される。段ボールシートは、例えば、波状の中しん９Ａの表裏に表ライナ９Ｂと裏ライナ９Ｃ（図１０等参照）とを貼り合せた両面段ボールである。蓋部３の第１〜第３ブランク３Ａ〜３Ｃは、箱本体２のブランク２Ａよりも薄い段ボールシートで形成されている。なお、図５ないし図８は、表ライナ９Ｂ側を示している。本明細書では、段ボールシートの中しん９Ａと平行な方向を「段方向」と呼び、段方向に直交する方向を「流れ方向」と呼ぶこととする。図面に示す「Ｘ」は「段方向」を示し、「Ｙ」は「流れ方向」を示している。また、本明細書では、上下、左右、前後およびこれに類する方向を示す用語は、スタッキングトレイ２や蓋体３を組み立てた状態（組立状態）における方向を指している。
【００２４】
［箱本体のブランク］
図５を参照して、箱本体２のブランク２Ａについて説明する。図５はブランク２Ａを示す平面図である。
【００２５】
ブランク２Ａは、５つの箱形成板２０を含んでいる。５つの箱形成板２０は、段方向に一列に並べられ、第１箱折曲線Ｌ１または第２箱折曲線Ｌ２を介して連設されている。２本の第１箱折曲線Ｌ１と２本の第２箱折曲線Ｌ２とは、交互に間隔をあけて配置され、５つの箱形成板２０を区画している。各箱形成板２０は、収納箱１を底面形状と同一であって、段方向の幅よりも流れ方向の幅を長くした略長方形状に形成されている。また、各箱形成板２０の四隅部は、円弧状に隅切されている。各箱形成板２０の中央領域には、収容部２Ｓを構成するための収容開口部２０Ａが穿設されている。つまり、各箱形成板２０は、略矩形環状に形成されている。各収容開口部２０Ａは、段方向の幅よりも流れ方向の幅を長くした略長方形状に形成されている。
【００２６】
なお、第１箱折曲線Ｌ１は、裏ライナ９Ｃから中しん９Ａの厚み方向の約半分まで切断した裏半切線である。第１箱折曲線Ｌ１は、表ライナ９Ｂを内側に向けるように段ボールシートを折り曲げる機能を有している。第２箱折曲線Ｌ２は、表ライナ９Ｂから中しん９Ａの厚み方向の約半分まで切断した表半切線である。第２箱折曲線Ｌ２は、裏ライナ９Ｃを内側に向けるように段ボールシートを折り曲げる機能を有している。なお、第１箱折曲線Ｌ１と第２箱折曲線Ｌ２とは、裏半切線や表半切線に限らず、段ボールシートを所望の向きに折り曲げることができる線であれば如何なるものでもよい。
【００２７】
［蓋部のブランク］
図６ないし図８を参照して、蓋部３の第１〜第３ブランク３Ａ〜３Ｃについて説明する。図６は第１ブランク３Ａを示す平面図である。図７は第２ブランク３Ｂを示す平面図である。図８は第３ブランク３Ｃを示す平面図である。
【００２８】
＜第１ブランク＞
図６に示すように、第１ブランク３Ａは、５つの内蓋形成板３０と、外蓋接続板３１と、を含んでいる。５つの内蓋形成板３０は、段方向に一列に並べられ、第１蓋折曲線Ｌ３または第２蓋折曲線Ｌ４を介して連設されている。外蓋接続板３１は、段方向一端に配置された内蓋形成板３０に第１蓋折曲線Ｌ３を介して連設されている。３本の第１蓋折曲線Ｌ３と２本の第２蓋折曲線Ｌ４とは、交互に間隔をあけて配置され、５つの内蓋形成板３０と外蓋接続板３１とを区画している。各内蓋形成板３０は、箱形成板２０と同一形状であって、中央領域に開口した蓋開口部３０Ａを有した略矩形環状に形成されている。外蓋接続板３１は、蓋開口部３０Ａを削除した内蓋形成板３０と略同一形状に形成されている。つまり、各内蓋形成板３０および外蓋接続板３１は、四隅部を隅切した略長方形状に形成されている。
【００２９】
なお、第１蓋折曲線Ｌ３は裏半切線であり、第２蓋折曲線Ｌ４は表半切線である。第１蓋折曲線Ｌ３と第２蓋折曲線Ｌ４とは、裏半切線や表半切線に限らず、段ボールシートを所望の向きに折り曲げることができる線であれば如何なるものでもよい。
【００３０】
＜第２ブランク＞
図７に示すように、第２ブランク３Ｂは、外蓋本体３２と、外蓋固定部３３と、外蓋背部３４と、を含んでいる。外蓋本体３２および外蓋固定部３３は、それぞれ、外蓋接続板３１と同一形状に形成されている。外蓋背部３４は、２本のヒンジ線Ｌ５を介して外蓋本体３２と外蓋固定部３３とに連設されている。外蓋背部３４は、外蓋本体３２等よりも流れ方向の幅が短い略長方形状に形成されている。外蓋背部３４の段方向の寸法は、収納箱１の高さに対応しており、外蓋本体３２等の段方向の寸法よりも短く設定されている。
【００３１】
なお、ヒンジ線Ｌ５は、段ボールシートを裏ライナ９Ｃの側から厚み方向に線状に潰した汎用罫線である。汎用罫線は、裏ライナ９Ｃを内側に向けるように段ボールシートを折り曲げる機能を有している。ヒンジ線Ｌ５は、汎用罫線に限らず、段ボールシートを所望の向きに折り曲げることができる線であれば如何なるものでもよい。
【００３２】
＜第３ブランク＞
図８に示すように、第３ブランク３Ｃは、外蓋本体３２等と同一形状に形成された外蓋表層部３５を含んでいる。
【００３３】
なお、第１ブランク３Ａ（各内蓋形成板３０および外蓋接続板３１）の表ライナ９Ｂには、文字や画像等の広告が印刷されている（図示せず）。また、第３ブランク３Ｃの表ライナ９Ｂに広告が印刷されていてもよい。
【００３４】
［収納箱の組立］
以上で説明したように、箱本体２のブランク２Ａと蓋部３の第１〜第３ブランク３Ａ〜３Ｃとは互いに別体で形成されており、これらのブランク２Ａ，３Ａ〜３Ｃを折り曲げたり連結したりすることで収納箱１が組み立てられる。以下、図４ないし図８を参照して、収納箱１の組立工程の一例について説明する。収納箱１は、例えば、作業者によって手作業で組み立てられる。
【００３５】
＜箱本体の組立＞
まず、箱本体２（ブランク２Ａ）の組立工程の一例について説明する。作業者は、第１箱折曲線Ｌ１（裏半切線）を挟んで隣接する箱形成板２０の表ライナ９Ｂに両面テープ（図示せず）を貼付し、第２箱折曲線Ｌ２（表半切線）を挟んで隣接する箱形成板２０の裏ライナ９Ｃに両面テープを貼付する。
【００３６】
続いて、作業者は、第１箱折曲線Ｌ１に沿って箱形成板２０を折り返し、第１箱折曲線Ｌ１を挟んで隣接する箱形成板２０の表ライナ９Ｂ同士を両面テープで接着する。また、作業者は、第２箱折曲線Ｌ２に沿って箱形成板２０を折り返し、第２箱折曲線Ｌ２を挟んで隣接する箱形成板２０の裏ライナ９Ｃ同士を両面テープで接着する。このように、積み重ねて固定された５つの箱形成板２０によって箱本体２が構成される。すなわち、一列に連設された５つの箱形成板２０が第１および第２箱折曲線Ｌ１，Ｌ２に沿ってジグザグに折り返されて積層状態になることで、箱本体２が形成される（図４参照）。この箱本体２では、第１箱折曲線Ｌ１側が背面２Ｒ（後面）になり、第２箱折曲線Ｌ２側が小口２Ｆ（前面）となるが、第１箱折曲線Ｌ１側を小口２Ｆとし、第２箱折曲線Ｌ２側を背面２Ｒとしてもよい（図示せず）。
【００３７】
また、５つの箱形成板２０に開口した５つの収容開口部２０Ａによって収容部２Ｓが構成される。収容部２Ｓは、僅かな隙間Ｇを有して物品Ｍが挿通可能に形成されている。収容部２Ｓの深さ（高さ）は、物品Ｍの高さの約２／３に設定されている。したがって、収容部２Ｓには物品Ｍの下部が収容され、物品Ｍの上部は箱本体２（収容部２Ｓ）から上方に突き出る。
【００３８】
＜内蓋部の組立等＞
次に、内蓋部４（第１ブランク３Ａ）の組立工程の一例について説明する。作業者は、表ライナ９Ｂを内側に向けるように内蓋形成板３０を第１蓋折曲線Ｌ３に沿って折り返し、裏ライナ９Ｃを内側に向けるように内蓋形成板３０を第２蓋折曲線Ｌ４に沿って折り返す。また、作業者は、外蓋接続板３１を内蓋形成板３０に重ねるように第１蓋折曲線Ｌ３に沿って折り返す。このように、折り返された一対の内蓋形成板３０によって各々の内蓋部４が構成される。２つの内蓋部４は、一列に連設された５つの内蓋形成板３０をジグザグに折り返すことで蛇腹状に形成されている。また、最上層（最表層）の内蓋形成板３０に連設された外蓋接続板３１は、内蓋形成板３０と共に蛇腹形状を構成する。なお、隣接する内蓋形成板３０や外蓋接続板３１は互いに接着（固定）されない。また、最下層の内蓋形成板３０は内蓋部４を構成しない。
【００３９】
続いて、作業者は、段方向他端（外蓋接続板３１とは反対側）に配置された内蓋形成板３０の裏ライナ９Ｃ（または箱本体２の上面）に両面テープを貼付し、その内蓋形成板３０を箱本体２の上面に接着する。これにより、最下層（最深層）の内蓋部４（内蓋形成板３０）は箱本体２の外形（輪郭）に合わせた状態で箱本体２に接続（連設）される。この状態で、第１蓋折曲線Ｌ３は箱本体２の後方（背面２Ｒ側）に向き、第２蓋折曲線Ｌ４は箱本体２の前方（小口２Ｆ側）に向いている。また、この状態で、各内蓋部４の蓋開口部３０Ａは箱本体２の収容部２Ｓ（蓋開口部３０Ａ）と略一致し、外蓋接続板３１は最上層に位置している。
【００４０】
＜外蓋部の組立等＞
次に、外蓋部５の組立工程の一例について説明する。外蓋部５は、外蓋接続板３１と、第２ブランク３Ｂ（外蓋本体３２、外蓋固定部３３および外蓋背部３４）と、第３ブランク３Ｃ（外蓋表層部３５）とによって構成される。
【００４１】
作業者は、第２ブランク３Ｂの外蓋固定部３３の裏ライナ９Ｃ（または箱本体２の下面）に両面テープを貼付し、外蓋固定部３３を箱本体２の輪郭に合わせた状態で箱本体２の下面に接着（接続）する。この状態で、箱本体２の収容部２Ｓの下面開口が閉塞され、外蓋固定部３３が収容部２Ｓの底面を構成する。
【００４２】
続いて、作業者は、ヒンジ線Ｌ５に沿って外蓋固定部３３を略直角に折り曲げる。外蓋固定部３３は、外蓋固定部３３に対して起立し、箱本体２の背面２Ｒに対向配置される。
【００４３】
次に、作業者は、外蓋本体３２の裏ライナ９Ｃ（または外蓋接続板３１の上面（裏ライナ９Ｃ））に両面テープを貼付する。そして、作業者は、ヒンジ線Ｌ５に沿って外蓋本体３２を折り曲げ、外蓋本体３２を外蓋接続板３１の輪郭に合わせた状態で外蓋接続板３１の上面に接着する。これにより、最上層（最表層）の内蓋部４（内蓋形成板３０）は、外蓋接続板３１を介して外蓋本体３２（外蓋部５）に接続される。以上によって、第２ブランク３Ｂが箱本体２と各内蓋部４とを上下両側から挟み込むように接続される。
【００４４】
次に、作業者は、外蓋表層部３５（第３ブランク３Ｃ）の裏ライナ９Ｃ（または外蓋本体３２の表ライナ９Ｂ）に両面テープを貼付し、外蓋表層部３５を外蓋本体３２の輪郭に合わせた状態で外蓋本体３２の上面に接着する。このように、外蓋接続板３１、第２ブランク３Ｂ（外蓋本体３２、外蓋固定部３３、外蓋背部３４）および外蓋表層部３５（第３ブランク３Ｃ）によって、箱本体２と内蓋部４に連設された外蓋部５が構成される。外蓋部５の上面部は、外蓋接続板３１、外蓋本体３２および外蓋表層部３５によって三重積層構造となっている。なお、以下の説明では、外蓋接続板３１、外蓋本体３２および外蓋表層部３５を、まとめて「表紙部５Ｕ」ともいう。
【００４５】
以上によって、収納箱１の組立が完了する。なお、上記した収納箱１の組立工程における両面テープの貼付位置等は、一例であって、両面テープの貼付位置や貼付数は適宜変更してもよい。また、上記した組立工程では、一例として、両面テープを用いていたが、これに代えて、例えば、接着剤を用いてもよい。また、上記した組立工程は一例であって、その順序は矛盾のない範囲で入れ替えてもよい。
【００４６】
［収納箱の作用］
次に、図３、図４、図９ないし図１３を参照して、収納箱１の作用、具体的には外蓋部５と各内蓋部４との開閉について説明する。図９は外蓋部５を開いた状態を示す側面図である。図１０は外蓋部５および最上層の内蓋部４を開いた状態を示す斜視図である。図１１は外蓋部５および最上層の内蓋部４を開いた状態を示す側面図である。図１２は外蓋部５および２つの内蓋部４を開いた状態を示す斜視図である。図１３は外蓋部５および２つの内蓋部４を開いた状態を示す側面図である。
【００４７】
外蓋部５と各内蓋部４とは、箱本体２の背面２Ｒ側を軸として回動する。具体的には、各内蓋部４は、箱本体２に積層されて収容部２Ｓから突き出た物品Ｍを蓋開口部３０Ａに挿通させた内蓋閉塞位置Ｐ４（図３、図９参照）と、収容部２Ｓを開放した内蓋開放位置Ｐ５（図１０、図１１参照）との間で回動する。外蓋部５（表紙部５Ｕ、外蓋背部３４）は、（内蓋閉塞位置Ｐ４に配置された）内蓋部４に積層されて蓋開口部３０Ａを閉塞した外蓋閉塞位置Ｐ１（図１、図４参照）と、蓋開口部３０Ａを開放した外蓋開放位置Ｐ２（図３、図９参照）と、外蓋開放位置Ｐ２よりも更に開放方向に開いて背面２Ｒから離間した第２の外蓋開放位置Ｐ３（図１０、図１１参照）との間で回動する。外蓋部５が外蓋閉塞位置Ｐ１に回動した状態では、外蓋本体３２は蓋開口部３０Ａを閉塞し、外蓋背部３４は箱本体２の背面２Ｒに対向している（図４参照）。また、最上層の内蓋部４（最下層の内蓋部４を除く内蓋部４）は、内蓋開放位置Ｐ５よりも更に開放方向に開いて第２の外蓋開放位置Ｐ３に配置された外蓋部５に重なる第２の内蓋開放位置Ｐ６（図１２、図１３参照）まで回動する。
【００４８】
＜物品の収容＞
まず、作業者が収納箱１に物品Ｍを収容する手順について説明する。図３および図９に示すように、作業者は、外蓋閉塞位置Ｐ１に配置された表紙部５Ｕを外蓋開放位置Ｐ２に向かって回動させる。表紙部５Ｕは、最上層の内蓋形成板３０と外蓋接続板３１との間の第１蓋折曲線Ｌ３と、上方のヒンジ線Ｌ５とを中心にして回動する。各内蓋部４は、回動せず、内蓋閉塞位置Ｐ４に留まっている。外蓋開放位置Ｐ２に配置された表紙部５Ｕは、内蓋閉塞位置Ｐ４に配置された内蓋部４に対して略垂直に起立している。
【００４９】
作業者は、開放された蓋開口部３０Ａおよび収容部２Ｓに物品Ｍを収容する。収容部２Ｓおよび各蓋開口部３０Ａは、それぞれ、僅かな隙間Ｇ（図４参照）を有して物品Ｍが挿通可能に形成されているため、物品Ｍは、僅かなガタつきをもって収容部２Ｓおよび蓋開口部３０Ａに嵌合する。また、内蓋閉塞位置Ｐ４に配置された最上層の内蓋部４は、収容部２Ｓに収容された物品Ｍの上面（表面）と同一平面を構成している。なお、「僅かな隙間Ｇ」とは、作業者（ユーザ）が容易に指を入れることができない程度の隙間Ｇであり、例えば１〜５ｍｍ程度の隙間Ｇであることが好ましい。また、内蓋部４と物品Ｍとの上面が「同一平面」であるとは、完全に一致した平面だけでなく、僅かな段差（数ｍｍ程度）があることを含む概念である。好ましくは、物品Ｍとの上面が内蓋部４の上面よりも僅かに下がっているとよい。
【００５０】
作業者は、収容部２Ｓ等に物品Ｍを収容した後、外蓋開放位置Ｐ２に配置された表紙部５Ｕを外蓋閉塞位置Ｐ１に戻す（図１、図２参照）。以上によって、物品Ｍが収納箱１に収容される。
【００５１】
＜物品の取り出し＞
次に、ユーザが収納箱１から物品Ｍを取り出す手順について説明する。図３および図９に示すように、ユーザは、上記した物品Ｍの収容手順と同様に、表紙部５Ｕを外蓋閉塞位置Ｐ１から外蓋開放位置Ｐ２に回動させる。この状態で、ユーザは、外蓋接続板３１と最上層の内蓋形成板３０とに印刷された広告を目視することができる。また、この状態で、物品Ｍは蓋開口部３０Ａに僅かな隙間Ｇを有して嵌合し、物品Ｍの上面は最上層の内蓋部４の上面と略同一平面を成しているため、ユーザは物品Ｍを掴んで取り出すことができない。
【００５２】
続いて、図１０および図１１に示すように、ユーザは、外蓋開放位置Ｐ２に配置された表紙部５Ｕおよび外蓋背部３４を第２の外蓋開放位置Ｐ３に向かって回動させる。表紙部５Ｕおよび外蓋背部３４は、下方のヒンジ線Ｌ５を中心にして回動する。回動する表紙部５Ｕに引っ張られて、最上層の内蓋部４も回動し始める。表紙部５Ｕ等（外蓋部５）が外蓋開放位置Ｐ２から第２の外蓋開放位置Ｐ３に回動する過程において、最上層の内蓋部４を構成する一対の内蓋形成板３０は、互いの背面２Ｒ側を離間させながら内蓋閉塞位置Ｐ４から内蓋開放位置Ｐ５に向かって回動する。最下層の内蓋部４は、回動せず、内蓋閉塞位置Ｐ４に留まっている。
【００５３】
表紙部５Ｕ等（外蓋部５）が第２の外蓋開放位置Ｐ３に回動した状態では、外蓋本体３２は蓋開口部３０Ａを開放し、外蓋背部３４は箱本体２の背面２Ｒから離間する。詳細には、第２の外蓋開放位置Ｐ３に配置された表紙部５Ｕおよび外蓋背部３４は、外蓋固定部３３（箱本体２の底面）と略平行な姿勢になる。内蓋開放位置Ｐ５に配置された内蓋部４は、下部から上部に向かって後側に傾斜した姿勢になる。また、この内蓋部４を構成する一対の内蓋形成板３０は、第２蓋折曲線Ｌ４で連設された先端部を中心にして基端側（背面２Ｒ側）を広げた略三角形状（山型状）に形成される。
【００５４】
この状態で、最上層の内蓋部４と最下層の内蓋部４とが見開きとなり、ユーザは、最上層の内蓋部４と最下層の内蓋部４とを繋ぐ一対の内蓋形成板３０に印刷された広告を目視することができる。また、この状態で、物品Ｍの上部は、最下層の内蓋部４の上面から僅かに突き出している。しかし、物品Ｍの上部の突き出し量が少ないため、ユーザは物品Ｍを容易に掴むことができない。
【００５５】
次に、図１２および図１３に示すように、ユーザは、内蓋開放位置Ｐ５に配置された内蓋部４を第２の内蓋開放位置Ｐ６に向かって回動させる。回動する最上層の内蓋部４に引っ張られて、最下層の内蓋部４も回動し始める。最上層の内蓋部４が内蓋開放位置Ｐ５から第２の内蓋開放位置Ｐ６に回動する過程において、最下層の内蓋部４を構成する一対の内蓋形成板３０は、互いの背面２Ｒ側を離間させながら内蓋閉塞位置Ｐ４から内蓋開放位置Ｐ５に向かって回動する。内蓋開放位置Ｐ５に配置された最下層の内蓋部４は、最上層の内蓋部４と同様に、傾斜姿勢になり、この内蓋部４を構成する一対の内蓋形成板３０は、先端部（第２蓋折曲線Ｌ４）を中心にして基端側を広げた略三角形状に形成される。
【００５６】
この状態で、箱本体２の上面に接着された内蓋形成板３０が露出し、ユーザは、最下層側の一対の内蓋形成板３０に印刷された広告を目視することができる。また、この状態で、物品Ｍの上部の周囲に積層されていた２つの内蓋部４が除去されるため、物品Ｍの上部は、最下層の内蓋形成板３０（箱本体２）の上面から突き出している。ユーザは、物品Ｍの上部を掴んで物品Ｍを収容部２Ｓから取り出す。
【００５７】
以上のように、ユーザは、外蓋部５と２つの内蓋部４とを全てめくり、外蓋部５と２つの内蓋部４とに印刷された全ての広告を目にした後、物品Ｍを取り出すことができる。
【００５８】
以上説明した本実施形態に係る収納箱１では、箱本体２、内蓋部４および外蓋部５が冊子状に綴じられていた。この構成によれば、外蓋部５の裏面（または表裏両面）および内蓋部４の表裏両面等に広告等の情報を印刷することができる。箱本体２と外蓋部５とに加えて内蓋部４の表裏両面にも情報提示が可能になるため、箱本体２と外蓋部５のみを備えた箱に比べて、情報を提示するためのスペースを増加させることができる。なお、本実施形態に係る収納箱１では、各内蓋形成板３０および外蓋接続板３１等に広告が印刷されていたが、これに限らず、例えば、広告が印刷されたステッカー等を各内蓋形成板３０および外蓋接続板３１等に貼付してもよい。また、広告以外でも、物品Ｍの情報などを印刷してもよい。さらに、各内蓋形成板３０および外蓋接続板３１等に印刷をせず、白紙としてもよい。
【００５９】
また、本実施形態に係る収納箱１では、蓋開口部３０Ａと物品Ｍとの間の隙間Ｇを小さくし、ユーザが当該隙間Ｇに指を入れることができない構成とした。また、内蓋部４の表面と物品Ｍの表面とを略面一とし、ユーザが物品Ｍの上部を掴むことができない構成とした。この構成によれば、ユーザは、外蓋部５を開いた後、物品Ｍを取り出すために自然に内蓋部４を開くことになるため、外蓋部５の裏面および内蓋部４の表裏両面等に印刷された全ての広告を見ることになる。これにより、優れた訴求効果を期待することができる。
【００６０】
また、本実施形態に係る収納箱１では、２つの内蓋部４が一連の蛇腹状に形成され、箱本体２に対し冊子状に綴じられていた。この構成によれば、ユーザの目に触れる表側を表ライナ９Ｂのみで構成することができる。これにより、表ライナ９Ｂのみに広告等を印刷すればよいため、複数の内蓋形成板３０の表裏両面に印刷する場合に比べて、印刷にかかるコストを低減することができる。
【００６１】
また、本実施形態に係る収納箱１では、外蓋開放位置Ｐ２から第２の外蓋開放位置Ｐ３に回動する外蓋部５に連動して、内蓋部４が内蓋閉塞位置Ｐ４から内蓋開放位置Ｐ５に向かって回動する構成とした。この構成によれば、ユーザが外蓋部５を第２の外蓋開放位置Ｐ３に回動させることで、自動的に内蓋部４がめくられて新たな広告をユーザに提示することができる。また、内蓋開放位置Ｐ５から第２の内蓋開放位置Ｐ６に回動する上側の内蓋部４に連動して、下側の内蓋部４が内蓋閉塞位置Ｐ４から内蓋開放位置Ｐ５に向かって回動する構成とした。この構成によれば、ユーザが上側の内蓋部４を第２の内蓋開放位置Ｐ６に回動させることで、自動的に下側の内蓋部４がめくられて新たな広告をユーザに提示することができる。
【００６２】
また、本実施形態に係る収納箱１では、内蓋部４の回動に伴って一対の内蓋形成板３０の背面２Ｒ側が離間する構成とした。すなわち、一対の内蓋形成板３０を接着せずに折るだけで内蓋部４が形成されていた。これにより、内蓋部４の製造工程を簡略化することができ、収納箱１の製造コストを削減することができる。
【００６３】
また、本実施形態に係る収納箱１によれば、外蓋部５が、背面２Ｒを覆い、且つ箱本体２の下面と最上層の内蓋部４（内蓋形成板３０）とを連結する構成とした。この構成によれば、外蓋背部３４によって箱本体２と内蓋部４との端面（背面２Ｒ）を隠すことができ、収納箱１の意匠性を向上させることができる。また、外蓋背部３４が箱本体２の背面２Ｒから離れるように倒れることで、第２の外蓋開放位置Ｐ３に回動する外蓋部５と内蓋開放位置Ｐ５に回動する内蓋部４とを連動させることができる。
【００６４】
また、本実施形態に係る収納箱１では、外蓋接続板３１が内蓋形成板３０と一体に形成されているため、外蓋接続板３１と内蓋形成板３０とを別々に形成して接着した場合に比べて、外蓋部５の製造工程を簡略化することができる。
【００６５】
また、本実施形態に係る収納箱１によれば、複数の箱形成板２０を積層することで箱本体２が構成されるため、箱形成板２０の積層数を変更したり、収容開口部２０Ａの形状を変更したりすることで、箱本体２の厚みや収容部２Ｓの形状を柔軟に変更することができる。これにより、物品Ｍの形状等に合わせた収納箱１を低コストで製造することができる。
【００６６】
また、本実施形態に係る収納箱１によれば、一列に連設された複数の箱形成板２０をジグザグに折り曲げることで簡単に箱本体２を形成することができる。
【００６７】
ところで、本実施形態に係る収納箱１では、蓋部３の第１ブランク３Ａの第１蓋折曲線Ｌ３が裏半切線であり、第２蓋折曲線Ｌ４が表半切線であるため、第１ブランク３Ａの製造工程では、表ライナ９Ｂに広告を印刷した段ボールシートの表面と裏面に２回刃物を入れなければならなかった。仮に、第１および第２蓋折曲線Ｌ３，Ｌ４の位置が規定の位置からずれた場合、広告が途切れて見た目が悪くなるだけでなく、広告による訴求効果が低下する虞もある。このような問題に解決するために、第１蓋折曲線Ｌ３と第２蓋折曲線Ｌ４とが表ライナ９Ｂ側から形成されてもよい。具体的には、第１蓋折曲線Ｌ３は、段ボールシートを厚み方向に完全に切断した全切線と、段ボールシートを切断せずに残した繋ぎ部と、を交互に並設した繋ぎ付き全切線としてもよい。この場合、第２蓋折曲線Ｌ４は表半切線とする。この構成によれば、印刷した段ボールシートの表面のみから刃物を入れればよいため、第１および第２蓋折曲線Ｌ３，Ｌ４の位置が規定の位置からずれるリスクを低減することができる。また、上記とは逆に、第１蓋折曲線Ｌ３と第２蓋折曲線Ｌ４とが裏ライナ９Ｃ側から形成されるように、第２蓋折曲線Ｌ４を繋ぎ付き全切線として、第１蓋折曲線Ｌ３を裏半切線としてもよい。また、第１蓋折曲線Ｌ３と第２蓋折曲線Ｌ４との両方が繋ぎ付き全切線であってもよい。さらに、上記と同様に趣旨で、箱本体２のブランク２Ａの第１箱折曲線Ｌ１または／および第２箱折曲線Ｌ２を繋ぎ付き全切線としてもよい。
【００６８】
なお、本実施形態に係る収納箱１では、蓋部３の第１〜第３ブランク３Ａ〜３Ｃが、箱本体２のブランク２Ａよりも薄い段ボールシートで形成されていたが、これに限らず、箱本体２のブランク２Ａよりも厚い段ボールシートで形成されてもよいし、箱本体２のブランク２Ａと同じ厚みの段ボールシートで形成されてもよい。
【００６９】
また、本実施形態に係る収納箱１では、５つの箱形成板２０が積層されて箱本体２を構成していたが、本発明はこれに限定されない。箱形成板２０の積層数は、物品Ｍの高さに応じて自由に変更してもよい。また、箱本体２は、一列に連設された複数の箱形成板２０をジグザグに折り返すことで蛇腹状に形成されていたが、本発明はこれに限定されない。例えば、個別に形成された複数の箱形成板２０を上下方向に重ねるように接着してもよい。また、箱本体２は、複数の箱形成板２０を積層したものではなく、紙や合成樹脂等で一体に成型されたものでもよい（図示せず）。
【００７０】
また、本実施形態に係る収納箱１では、２つの内蓋部４が設けられていたが、本発明はこれに限定されない。例えば、１つの内蓋部４が設けられてもよいし、３つ以上の内蓋部４が設けられてもよい（図示せず）。つまり、少なくとも１つの内蓋部４が設けられていればよい。なお、３つ以上の内蓋部４が設けられる場合、上層側（表層側）の内蓋部４が内蓋開放位置Ｐ５から第２の内蓋開放位置Ｐ６に回動する過程において、下層側（深層側）の内蓋部４が内蓋閉塞位置Ｐ４から内蓋開放位置Ｐ５に向かって回動することになる。
【００７１】
また、本実施形態に係る収納箱１では、最下層の内蓋形成板３０が、内蓋部４を構成しておらず、箱本体２に接続されていたが、本発明はこれに限定されない。例えば、図１４に示すように、内蓋部４を構成する最下層の内蓋形成板３０の一部を延長して継代片４０を構成し、この内蓋形成板３０が継代片４０を介して箱本体２の背面２Ｒ（または上面）に接続されてもよい（第１変形例）。
【００７２】
また、本実施形態に係る収納箱１では、複数の内蓋部４が一列に連設された複数の内蓋形成板３０をジグザグに折り返すことで蛇腹状に形成され、各内蓋部４が一対の内蓋形成板３０で構成されていたが、本発明はこれに限定されない。例えば、図１５に示すように、複数の内蓋部４は、それぞれ、継代片４０を介して箱本体２の背面２Ｒ等に接続された１枚の内蓋形成板３０であってもよい（第２変形例）。この場合、外蓋接続板３１が省略されることが好ましい。この場合、内蓋部４を外蓋部５に連動させて開閉することができなくなり、外蓋部５と内蓋部４とは別々に開閉されることになる。なお、外蓋部５も継代片を介して箱本体２の背面２Ｒ等に接続される板としてもよい（図示せず）。
【００７３】
また、本実施形態に係る収納箱１では、外蓋部５を構成する外蓋接続板３１が最上層の内蓋形成板３０に連設されていたが、本発明はこれに限定されない。例えば、図１６に示すように、外蓋接続板３１と内蓋形成板３０とが別体で形成され、外蓋接続板３１が継代片４１を介して内蓋形成板３０に接着されてもよい（第３変形例）。なお、図１６では継代片４１が外蓋接続板３１に連設されていたが、内蓋形成板３０に連設されてもよい（図示せず）。
【００７４】
また、本実施形態に係る収納箱１では、外蓋部５が箱本体２と内蓋部４との両方に連設されていたが、本発明はこれに限定されない。外蓋部５は、箱本体２と内蓋部４の少なくとも一方に連設されていればよい。例えば、先に説明した図１５に示すように、外蓋部５は、外蓋接続板３１を削除することで内蓋部４から分離され、箱本体２のみに連設されてもよい。この場合、外蓋表層部３５は省略されてもよい。他にも、例えば、図１７に示すように、外蓋部５は、外蓋本体３２および外蓋背部３４を削除することで箱本体２から分離され、内蓋部４のみに連設されてもよい（第４変形例）。なお、外蓋固定部３３は、収容部２Ｓの底面を形成するために残される。この場合、最上層の内蓋形成板３０の後方の一部を刳り貫いて背面板４２を形成し、この背面板４２を下方に延ばして箱本体２の底面（または背面２Ｒ）に接着することが好ましい。なお、外蓋表層部３５は、外蓋接続板３１に接着してもよいし、省略されてもよい。
【００７５】
また、本実施形態に係る収納箱１では、外蓋表層部３５（第３ブランク３Ｃ）が外蓋部５の最表層を構成していたが、外蓋表層部３５は省略されてもよい。この場合、外蓋本体３２が外蓋部５の最表層となり、外蓋部５の上面部は、外蓋接続板３１と外蓋本体３２とによる二重積層構造となる。
【００７６】
また、本実施形態に係る収納箱１では、外蓋表層部３５（第３ブランク３Ｃ）が両面段ボールで形成されていたが、本発明はこれに限定されない。例えば、外蓋表層部３５は、両面段ボールから表ライナ９Ｂを省略した片面段ボールや段ボール以外の素材のシートで構成してもよい。これにより、印象に残りやすい意匠を構成することができる。
【００７７】
また、本実施形態に係る収納箱１では、収容部２Ｓ（各収容開口部２０Ａ）と各蓋開口部３０Ａとが平面から見て同一形状であったが、本発明はこれに限定されない。例えば、蓋開口部３０Ａが物品Ｍの外形に合わせた形状に形成され、収容部２Ｓ（各収容開口部２０Ａ）が蓋開口部３０Ａよりも大きく形成されたり、蓋開口部３０Ａとは異なる形状に形成されたりしてもよい（図示せず）。また、収容部２Ｓ（各収容開口部２０Ａ）や各蓋開口部３０Ａは、物品Ｍに合わせて長方形状に形成されていたが、本発明はこれに限定されない。物品Ｍは直方体以外の多面体、球体、円柱状または錐体状などに形成されてもよく、収容部２Ｓ（各収容開口部２０Ａ）や各蓋開口部３０Ａは物品Ｍの形状に合わせて自由に形状変更されてもよい。
【００７８】
また、本実施形態に係る収納箱１では、１つの物品Ｍを収容するために１つの収容部２Ｓが形成されていたが、本発明はこれに限定されない。例えば、複数の物品Ｍを収容するために複数の収容部２Ｓが形成されてもよい（図示せず）。この場合、各箱形成板２０には複数の収容開口部２０Ａが形成され、各内蓋形成板３０にも複数の蓋開口部３０Ａが形成されることが好ましい。また、他にも、箱本体２と内蓋部４との間に開口の無い仕切板（図示せず）を追加し、仕切板によって仕切られた箱本体２の収容部２Ｓと複数の内蓋部４の蓋開口部３０Ａとに２つの物品Ｍを収納するようにしてもよい。なお、仕切板は、内蓋部４等と同様に、箱本体２の背面２Ｒ側を軸として回動することが好ましい。また、複数の内蓋部４のうち何れか１つを仕切板に変更してもよい。さらに、仕切板は複数設けられてもよい。
【００７９】
また、本実施形態に係る収納箱１は、略直方体状に形成されていたが、これに限らず、直方体以外の多面体、球体、円柱状または錐体状などに形成されてもよい（図示せず）。
【００８０】
また、本実施形態に係る収納箱１は、紙製の両面段ボールで形成されていたが、これに限らず、片面段ボール、複両面段ボール、複々両面段ボール等の紙製段ボールシート、厚紙、または樹脂製の各種の段ボールシートで形成されていてもよい。
【００８１】
なお、上記実施形態の説明は、本発明に係る収納箱における一態様を示すものであって、本発明の技術範囲は、上記実施形態に限定されるものではない。
【符号の説明】
【００８２】
１      収納箱
２      箱本体
２Ｒ    背面
２Ｓ    収容部
３      蓋部
４      内蓋部
５      外蓋部
２０    箱形成板
２０Ａ  収容開口部
３０    内蓋形成板
３０Ａ  蓋開口部
３１    外蓋接続板
３２    外蓋本体
３３    外蓋固定部
３４    外蓋背部
Ｇ      隙間
Ｍ      物品
Ｐ１    外蓋閉塞位置
Ｐ２    外蓋開放位置
Ｐ３    第２の外蓋開放位置
Ｐ４    内蓋閉塞位置
Ｐ５    内蓋開放位置
Ｐ６    第２の内蓋開放位置
【図１】
2020186028.tif 000003
【図２】
2020186028.tif 000004
【図３】
2020186028.tif 000005
【図４】
2020186028.tif 000006
【図５】
2020186028.tif 000007
【図６】
2020186028.tif 000008
【図７】
2020186028.tif 000009
【図８】
2020186028.tif 000010
【図９】
2020186028.tif 000011
【図１０】
2020186028.tif 000012
【図１１】
2020186028.tif 000013
【図１２】
2020186028.tif 000014
【図１３】
2020186028.tif 000015
【図１４】
2020186028.tif 000016
【図１５】
2020186028.tif 000017
【図１６】
2020186028.tif 000018
【図１７】
2020186028.tif 000019